(57)【要約】【課題】  光学ユニットの可動領域を確保できると共に、遮光パネルとの間に隙間や段差が目立つのを無くして外観を向上することができる可変配光ランプの提供を図る。【解決手段】  光源１１と、主配光部１２と、主配光部１２の外周から一体に光源１１を囲繞して前方に突出する拡散配光リフレクター１４と、からなる光学ユニット１５が、予め設定した回動中心軸Ｏを中心として略水平方向に回動可能となっており、光学ユニット１５の前方周囲外側を覆う遮光パネル１９の前端部から内側後方に向かって光透過性のクリアパネル２１を延出し、このクリアパネル２１の外側に拡散配光リフレクター１４の前端部分を配置することにより、前方からランプ１０を見た場合、拡散配光リフレクター１４と遮光パネル１９との間に形成される隙間や段差をクリアパネル２１で覆うため、外観上、この隙間や段差が際だって目立ってしまうのを無くして、見栄えを向上することができる。【選択図】      図１
2005268181.tif 000002
【特許請求の範囲】
【請求項１】
光源と主配光部とこの主配光部の外周から一体に光源を囲繞して前方に突出する拡散配光リフレクターとからなる光学ユニットと、
この光学ユニットを予め設定した回動中心軸を中心として略水平に回動させる駆動手段と、
前記光学ユニットの前方周囲外側を覆う遮光パネルと、を備えた可変配光ランプにおいて、
遮光パネルに、その前端部から内側後方に向かって延出する光透過性のクリアパネルを設け、このクリアパネルの外側に拡散配光リフレクターの少なくとも前端部分を配置したことを特徴とする可変配光ランプ。
【請求項２】
クリアパネルの、前記拡散配光リフレクターが外側に配置される部分の少なくとも一部に、光学ユニットの回動中心軸を中心とした断面円形状となる円弧部分を形成したことを特徴とする請求項１に記載の可変配光ランプ。
【請求項３】
回動中心軸は、光源の中心よりも前方に配置したことを特徴とする請求項１または２に記載の可変配光ランプ。
【請求項４】
回動中心軸は、拡散配光リフレクターの前縁の左右方向の対向端末を結ぶ線上に配置したことを特徴とする請求項１または２に記載の可変配光ランプ。
【発明の詳細な説明】
【技術分野】
【０００１】
本発明は、光軸の配光方向を可変とする可変配光ランプに関する。
【背景技術】
【０００２】
従来の可変配光ランプとしては、光源（プラグ）を囲繞して前方にラッパ状に突出するリフレクターを設けて、これら光源およびリフレクターを光学ユニットとして回動可能とし、かつ、この光学ユニットをハウジングなどの遮光パネルで覆うようにしたものが知られている（例えば、特許文献１参照）。
【０００３】
前記ハウジングはリフレクターの前方が開口されて、リフレクターで反射した光源の光をその開口から前方に配光するようになっており、この場合、開口にはレンズが取り付けられている。
【特許文献１】特開２００３−１５１３１６号公報（第３頁、第３図）
【発明の開示】
【発明が解決しようとする課題】
【０００４】
しかしながら、かかる従来の可変配光ランプでは、光源およびリフレクターの光学ユニットがハウジング内で可動となるため、リフレクターとハウジングとの間には光学ユニットの可動領域を設ける必要があり、必然的にリフレクターとハウジングの開口との間に隙間や段差が形成されることになり、これがレンズを通して見えるため見栄えが悪くなってしまう。
【０００５】
そこで、本発明は光学ユニットの可動領域を確保できると共に、遮光パネルとの間に隙間や段差が目立つのを無くして外観を向上することができる可変配光ランプを提供するものである。
【課題を解決するための手段】
【０００６】
本発明の可変配光ランプは、光源と主配光部とこの主配光部の外周から一体に光源を囲繞して前方に突出する拡散配光リフレクターとからなる光学ユニットと、この光学ユニットを予め設定した回動中心軸を中心として略水平に回動させる駆動手段と、前記光学ユニットの前方周囲外側を覆う遮光パネルと、を備えており、前記遮光パネルに、その前端部から内側後方に向かって延出する光透過性のクリアパネルを設け、このクリアパネルの外側に拡散配光リフレクターの少なくとも前端部分を配置したことを最も主要な特徴とする。
【発明の効果】
【０００７】
本発明によれば、駆動手段により回動中心軸を中心として光学ユニットを略水平に回動させる際、遮光パネルに設けたクリアパネルに対して拡散配光リフレクターは相対移動し、この拡散配光リフレクターの少なくとも前端部分をクリアパネルの外側に配置したことにより、それぞれの重なり部分では拡散配光リフレクターの反射面をクリアパネルで覆うことになるが、クリアパネルを透過した光線は拡散配光リフレクターで反射した後に、再度クリアパネルを透過して前方に配光されるため、クリアパネルが障害となることはない。
【０００８】
そして、拡散配光リフレクターの前端部分をクリアパネルで覆うことができるため、前方からランプを見た場合、拡散配光リフレクターと遮光パネルとの間に形成される隙間や段差をクリアパネルで覆うことができ、外観上、この隙間や段差が際だって目立ってしまうのを無くして、見栄えを向上することができる。
【発明を実施するための最良の形態】
【０００９】
以下、本発明の実施形態を図面と共に詳述する。
【００１０】
図１〜図５は本発明の可変配光ランプの一実施形態を示し、図１は可変配光ランプの取り付け状態で水平方向に切断した断面図、図２は遮光パネルと拡散配光リフレクターとの位置関係を（ａ）にクリアパネルを設けた場合と（ｂ）にクリアパネルを設けない場合をそれぞれ示す要部断面図、図３は光学ユニットを回動した場合の拡散配光リフレクターの反射光とクリアパネルとの関係を（ａ）にクリアパネルを円形断面にした場合と（ｂ）に傾斜面にした場合をそれぞれ示す要部断面図、図４は拡散配光リフレクターの反射光のクリアパネルへの入射角を（ａ）にクリアパネルを円形断面にした場合と（ｂ）に傾斜面にした場合をそれぞれ示す拡大断面図、図５は光学ユニットの回動状態を（ａ）に回動中心軸を拡散配光リフレクターの前方端末を結ぶ線上に配置した場合と（ｂ）に光源中心上に配置した場合をそれぞれ示す断面図である。
【００１１】
図１は本実施形態の可変配光ランプ（以下、単にランプと称する）１０を示し、このランプ１０は例えば自動車のヘッドランプに適用され、光源としてのバルブ１１と、主配光部としての主リフレクター１２と、この主リフレクター１２の外周から一体にバルブ１１を囲繞して前方に突出する拡散配光リフレクターとしての副リフレクター１４と、によって光学ユニット１５が構成される。
【００１２】
前記光学ユニット１５の後方（図１中下方）はハウジング１６で覆われ、このハウジング１６に対して光学ユニット１５を略水平方向（図１中左右方向）に回動可能に取り付けてあり、この光学ユニット１５を予め設定した回動中心軸Ｏを中心として駆動手段としての電動モータなどのアクチュエータ１７によって回動させるようになっている。
【００１３】
また、前記ハウジング１６の前方開口部１６ａの周縁部には、光学ユニット１５の前面を覆うレンズ１８が液密に固定され、このレンズ１８の内側に副リフレクター１４の回動領域を内包する形状をもって遮光パネル１９を設け、この遮光パネル１９によって光学ユニット１５の前方周囲外側を覆って光がレンズ１８の側方に洩れるのを遮蔽してある。
【００１４】
この遮光パネル１９は部分的にレンズ１８またはハウジング１６に固定されている。
【００１５】
そして、前記ランプ１０は、自動車の前面の左右両側部分に嵌め込んで取り付けるようになっている。
【００１６】
ここで、本実施形態では遮光パネル１９の前端部１９ａから内側後方に向かって延出する光透過性のクリアパネル２１を設け、このクリアパネル２１の外側に副リフレクター１４の前端部分を配置してある。
【００１７】
つまり、前記クリアパネル２１は遮光パネル１９とともに合成樹脂で一体成形により設けられ、遮光パネル１９の前面に形成した照射口１９ｂの周縁部から後方に向かって延出させた部分でクリアパネル２１を形成し、遮光パネル１９が不透光材質で形成するのに対してクリアパネル２１は透光性材質で形成してある。
【００１８】
前記クリアパネル２１は、副リフレクター１４が外側に配置される部分（図１中Ｄ部分）に、光学ユニット１５の回動中心軸Ｏを中心とした円筒の一部となるように半径ｒの断面円形状となる円弧部分２１ａを形成してある。
【００１９】
また、前記回動中心軸Ｏは、バルブ１１の中心Ｏ′よりも前方に配置するとともに、副リフレクター１４の前縁の左右方向の対向端末１４ａ，１４ｂを結ぶ線Ｌ上に配置してある。
【００２０】
以上の構成により本実施形態のランプ１０によれば、アクチュエータ１７を駆動することにより光学ユニット１５を回動中心軸Ｏを中心として水平方向（図１中左右方向）に回動し、この光学ユニット１５による光線の照射方向を変化させることができる。
【００２１】
このとき、光学ユニット１５の前方周囲外側を遮光パネル１９で覆ってあるが、この遮光パネル１９の前端部に設けたクリアパネル２１の外側に副リフレクター１４の前端部分を配置してあるので、図２（ａ）に示すようにこの副リフレクター１４の前端部分をクリアパネル２１で覆うことができる。
【００２２】
このため、前方からランプ１０を見た場合、図２（ｂ）に示すようにクリアパネル２１を設けない場合に、副リフレクター１４と遮光パネル１９との間に形成される隙間や段差ｋが目立つのであるが、本実施形態では図２（ａ）に示すようにその隙間や段差ｋをクリアパネル２１で覆うことができるようになり、外観上、この隙間や段差ｋが際だって目立ってしまうのを無くして、見栄えを向上することができる。
【００２３】
このとき、副リフレクター１４の前端部分をクリアパネル２１の外側に配置したことにより、それぞれの重なり部分Ｄでは副リフレクター１４の反射面をクリアパネル２１で覆うことになるが、クリアパネル２１を透過した光線は副リフレクター１４で反射した後に、再度クリアパネル２１を透過して前方に配光されるため、クリアパネル２１が障害となることはない。
【００２４】
また、前記クリアパネル２１の副リフレクター１４が外側に配置される部分Ｄに、光学ユニット１５の回動中心軸Ｏを中心とした断面円形状となる円弧部分２１ａを形成したので、図３（ａ），図４（ａ）に示すように副リフレクター１４の同じ部位で反射する光線は、光学ユニット１５が回動した場合にもクリアパネル２１の円弧部分２１ａに対する入射角度θ１，θ２は同じ（θ１＝θ２）となるので、光線は光路長に変化を生ずることなくロスを最小限に抑えることができる。
【００２５】
尚、図３（ｂ），図４（ｂ）に示すようにクリアパネル２１に前記円弧部分２１ａを設けない場合は、このクリアパネル２１が平坦な傾斜面２１ｂとなるため、入射角度θ１′，θ２′は異なる（θ１′≠θ２′）ことになってロスが大きくなる。
【００２６】
更に、前記回動中心軸Ｏを、バルブ１１の中心Ｏ′よりも前方に配置したので、図５（ａ）に示すように回動中心軸Ｏの側方かつ副リフレクター１４の側方にクリアパネル２１を配置することができ、主リフレクター１２から照射される光線Ｒを最大限阻害しない形状でクリアパネル２１を形成することができる。
【００２７】
特に、本実施形態では前記回動中心軸０を、副リフレクター１４の前縁の左右方向の対向端末１４ａ，１４ｂを結ぶ線Ｌ上に配置したので、図５（ａ）に示すように光学ユニット１５を回動した際に、この光学ユニット１５の前方端末の左右方向への可動代ｍを小さくできるため、前方から見た遮光パネル１９の必要幅Ｗを減少できて、より一層見栄えを向上することができる。
【００２８】
これに対し、図５（ｂ）に示すように回動中心軸Ｏを前記対向端末１４ａ，１４ｂを結ぶ線Ｌよりも後方となるバルブ１１の中心Ｏ′に配置した場合は、クリアパネル２１が回動中心軸Ｏの前方となって主リフレクター１２の照射光線Ｒが阻害される部分Ｎが発生し、かつ、光学ユニット１５の前方端末の可動代ｍ′が大きくなるため、遮光パネル１９の必要幅Ｗ′が大きくなってしまう。
【００２９】
ところで、本発明のランプ１０は前記実施形態に例をとって説明したが、この実施形態に限ることなく本発明の要旨を逸脱しない範囲で他の実施形態を各種採用することができ、例えば、主配光部を主リフレクター１２を用いたリフレクター方式として構成してあるが、これに限ることなく、例えばプロジェクターランプに用いられるプロジェクター方式として構成することもでき、また、クリアパネル２１は遮光パネル１９と別体部品として形成した後に組み付けるようにしてもよい。
【図面の簡単な説明】
【００３０】
【図１】本発明の一実施形態における可変配光ランプの取り付け状態で水平方向に切断した断面図である。
【図２】本発明の一実施形態における遮光パネルと拡散配光リフレクターとの位置関係を（ａ）にクリアパネルを設けた場合と（ｂ）にクリアパネルを設けない場合をそれぞれ示す要部断面図である。
【図３】本発明の一実施形態における光学ユニットを回動した場合の拡散配光リフレクターの反射光とクリアパネルとの関係を（ａ）にクリアパネルを円形断面にした場合と（ｂ）に傾斜面にした場合をそれぞれ示す要部断面図である。
【図４】本発明の一実施形態における拡散配光リフレクターの反射光のクリアパネルへの入射角を（ａ）にクリアパネルを円形断面にした場合と（ｂ）に傾斜面にした場合をそれぞれ示す拡大断面図である。
【図５】本発明の一実施形態における光学ユニットの回動状態を（ａ）に回動中心軸を拡散配光リフレクターの前方端末を結ぶ線上に配置した場合と（ｂ）に光源中心上に配置した場合をそれぞれ示す断面図である。
【符号の説明】
【００３１】
１０  ランプ（可変配光ランプ）
１１  バルブ（光源）
１２  主リフレクター（主配光部）
１４  副リフレクター（拡散配光リフレクター）
１４ａ，１４ｂ  副リフレクターの対向末端
１５  光学ユニット
１７  アクチュエータ（駆動手段）
１９  遮光パネル
２１  クリアパネル
２１ａ  円弧部分
Ｏ  回動中心軸
Ｏ′  光源の中心
【図１】
2005268181.tif 000003
【図２】
2005268181.tif 000004
【図３】
2005268181.tif 000005
【図４】
2005268181.tif 000006
【図５】
2005268181.tif 000007